(57)【要約】【課題】電池を内蔵していない場合であっても、被撮影者に撮影の瞬間を知らせることができるレンズ付きフイルムユニットを提供する。【解決手段】発光ユニット２０は、圧電バイモルフ素子２４と、ＬＥＤ２６とを有している。シャッタ羽根４０は、第１突出部４１ｃと、第２突出部４１ｄとを有している。第１突出部４１ｃがシャッタ駆動レバーによって蹴飛ばされると、露光開口３５の開閉が行われる。これと同時に、第２突出部４１ｄが圧電バイモルフ素子２４の他端部に接触して力を加える。圧電バイモルフ素子２４にたわみが生じると、起電力が発生し、この起電力によってＬＥＤ２６が点灯する。【選択図】        図４
2006084529.tif 000002
【特許請求の範囲】
【請求項１】
シャッタボタンが操作されたことに応答して、装填された写真フイルムへの露光を行うカメラにおいて、
形状が変化すると起電力を発生させる圧電素子と、
前記シャッタボタンの操作に連動して変位して前記圧電素子の形状を変化させる連動部材と、
被写体側から視認可能な位置に設けられ、前記圧電素子からの起電力によって点灯する発光素子と、を備えたことを特徴とするカメラ。
【請求項２】
シャッタボタンが操作されたことに応答して、装填された写真フイルムへの露光を行うカメラにおいて、
形状が変化すると起電力を発生させる圧電素子と、
前記シャッタボタンの操作に連動して変位して前記圧電素子の形状を変化させる連動部材と、
前記圧電素子からの起電力によって音声を出力する音声出力装置と、を備えたことを特徴とするカメラ。
【請求項３】
電池を内蔵しないことを特徴とする請求項１または２記載のカメラ。
【請求項４】
前記圧電素子は板状に形成されて一端側がカメラ本体に固定されており、前記連動部材は、前記シャッタボタンの操作に連動して変位し、前記圧電素子の他端側を押圧して前記圧電素子を湾曲させることを特徴とする請求項１ないし３いずれか１項記載のカメラ。
【発明の詳細な説明】
【技術分野】
【０００１】
本発明は、カメラに関するものである。
【背景技術】
【０００２】
誰でも手軽に写真撮影を楽しむことができる簡易カメラとして、レンズ付きフイルムユニットが知られている。このレンズ付きフイルムユニットには、被写体を照明するストロボ装置を備えたものと、ストロボ装置を備えていないものがある。
【０００３】
ストロボ装置を備えているレンズ付きフイルムユニットの場合、ストロボを発光させて撮影すれば、被撮影者は撮影の瞬間を知ることができる。また、ストロボを発光させずに撮影するときでも、ストロボに組み込まれた電池から供給される電力を使用して、音声を出力したり、発光素子を点灯させたりすれば、被撮影者は撮影の瞬間を知ることができる。被撮影者は、撮影の瞬間を知ることにより、安心感を得ることができる。
【発明の開示】
【発明が解決しようとする課題】
【０００４】
しかしながら、ストロボ装置を備えていないレンズ付きフイルムユニットの場合、電池が内蔵されていないため、音声を出力させたり、発光素子を点灯させたりすることができず、被撮影者は撮影の瞬間を知ることができなかった。
【０００５】
本発明は、電池を内蔵していない場合であっても、被撮影者に撮影の瞬間を知らせることができるカメラを提供することを目的とする。
【課題を解決するための手段】
【０００６】
本発明は、シャッタボタンが操作されたことに応答して、装填された写真フイルムへの露光を行うカメラに関し、形状が変化すると起電力を発生させる圧電素子と、前記シャッタボタンの操作に連動して変位して前記圧電素子の形状を変化させる連動部材と、被写体側から視認可能な位置に設けられ、前記圧電素子からの起電力によって点灯する発光素子と、を備えたことを特徴とする。
【０００７】
本発明は、シャッタボタンが操作されたことに応答して、装填された写真フイルムへの露光を行うカメラに関し、形状が変化すると起電力を発生させる圧電素子と、前記シャッタボタンの操作に連動して変位して前記圧電素子の形状を変化させる連動部材と、前記圧電素子からの起電力によって音声を出力する音声出力装置と、を備えたことを特徴とする。
【０００８】
電池を内蔵しない場合に、本発明は有利である。
【０００９】
前記圧電素子は板状に形成されて一端側がカメラ本体に固定されており、前記連動部材は、前記シャッタボタンの操作に連動して変位し、前記圧電素子の他端側を押圧して前記圧電素子を湾曲させることが好ましい。
【発明の効果】
【００１０】
本発明のカメラは、形状が変化すると起電力を発生させる圧電素子と、前記シャッタボタンの操作に連動して変位して前記圧電素子の形状を変化させる連動部材と、被写体側から視認可能な位置に設けられ、前記圧電素子からの起電力によって点灯する発光素子と、を備えているので、シャッタボタンの操作に応答して、発光素子を点灯させることができる。これにより、電池を内蔵していない場合であっても、被撮影者に撮影の瞬間を知らせることができる。
【００１１】
本発明のカメラは、形状が変化すると起電力を発生させる圧電素子と、前記シャッタボタンの操作に連動して変位して前記圧電素子の形状を変化させる連動部材と、前記圧電素子からの起電力によって音声を出力する音声出力装置と、を備えているので、シャッタボタンの操作に応答して、音声を出力することができる。これにより、電池を内蔵していない場合であっても、被撮影者に撮影の瞬間を知らせることができる。
【発明を実施するための最良の形態】
【００１２】
図１に示すように、レンズ付きフイルムユニット２は、ユニット本体（カメラ本体）３と、このユニット本体３を覆うラベル４と、から構成される。ユニット本体３には、各撮影機構が組み込まれている。また、ユニット本体３には、製造時においてフイルムパトローネ５（図２参照）が装填される。ラベル４は、ユニット本体３に貼り付けられており、各部を露呈させるための開口が設けられている。
【００１３】
ユニット本体３の前面には、撮影レンズ６、ファインダ７、後述する発光ユニット２０のＬＥＤ２６を露呈させるための開口８、が設けられている。ユニット本体３の上面には、シャッタボタン９、カウンタ窓１０が設けられている。カウンタ窓１０は、撮影可能な残りコマ数を表示する。ユニット本体３の背面には、巻上げノブ１１の一部が露呈している。巻上げノブ１１が撮影後に操作されると、次コマの撮影が可能な状態となる。
【００１４】
図２に示すように、ユニット本体３は、本体基部１４と、前カバー１５と、後カバー１６と、から構成される。前カバー１５は、本体基部１４の前面側に取り付けられる。後カバー１６は、本体基部１４の背面側に取り付けられる。
【００１５】
本体基部１４には、フイルムパトローネ５が装填される。フイルムパトローネ５は、１３５タイプであり、パトローネ１７と、写真フイルム１８とから構成される。写真フイルム１８としては、フイルム感度がＩＳＯ１６００のものか、またはＩＳＯ３２００のものが用いられる。
【００１６】
本体基部１４の前面中央には、遮光筒１９が設けられている。この遮光筒１９の周囲には、シャッタチャージ機構、シャッタ機構、フイルム巻上げ機構、フイルム巻止機構、フイルムカウント機構、撮影光学系、ファインダ光学系等が組み込まれている。また、遮光筒１９の上方には、発光ユニット２０が設けられている。
【００１７】
図３は、発光ユニット２０とシャッタ機構の構成を示す分解斜視図である。発光ユニット２０は、圧電バイモルフ素子２４と、発光ユニット本体２５と、発光ダイオード（以下、ＬＥＤ）２６と、から構成される。
【００１８】
圧電バイモルフ素子２４は、基板２７と、この基板２７の上面に貼り付けられた圧電セラミック板２８と、基板２７の下面に貼り付けられた圧電セラミック板２９と、から構成される。基板２７には、プラスチックまたは金属が材料として用いられる。圧電バイモルフ素子２４の一端部は発光ユニット本体２５に固定されており、この発光ユニット本体２５はユニット本体３（図２参照）の本体基部１４（図２参照）に固定されている。圧電バイモルフ素子２４の他端部は、自由端とされている。圧電バイモルフ素子２４は、他端部に外力が加えられるとたわみを生じさせる。圧電セラミック板２８の上面には電極３０が形成され、圧電セラミック板２９の下面には電極３１が形成されている。これら電極３０、３１は、ＬＥＤ２６に接続されている。圧電バイモルフ素子２４がたわむと、これら電極間には起電力が発生し、この起電力によってＬＥＤ２６が点灯する。
【００１９】
ＬＥＤ２６は、発光ユニット本体２５の前面に設けられている。ＬＥＤ２６は、本体基部１４（図２参照）に前面カバー１５（図２参照）を取り付けたときに、前面カバー１５の開口８から露出する。これにより、撮影時において、ＬＥＤ２６が被写体側から視認可能となる。なお、ＬＥＤ以外の発光素子を用いてもよい。
【００２０】
遮光筒１９の前面には、矩形状の露光開口３５が形成され、この露光開口３５の上方にはシャッタ羽根４０の羽根部４２の動きを制止するストッパ３６が設けられている。遮光筒１９の側方には、シャッタ羽根４０を揺動自在に支持するピン３７と、バネ３８の一端がかけられるピン３９と、が設けられている。
【００２１】
シャッタ機構の一部を構成するシャッタ羽根（連動部材）４０は、ベース部４１と、羽根部４２と、連結部４３と、から構成される。ベース部４１には、ピン３７に挿通される穴４１ａと、バネ３８の他端が掛けられるピン４１ｂと、シャッタ駆動レバー４４の爪４５によって蹴飛ばされる第１突出部４１ｃと、蹴飛ばされる際に圧電バイモルフ素子２４に接触して力を加える第２突出部４１ｄとが形成されている。羽根部４２は、露光開口３５の前方に配置され、この露光開口３５の開閉を行う。連結部４３は、ベース部４１と羽根部４２とを連結している。
【００２２】
シャッタ機構の一部を構成するシャッタ駆動レバー４４は、軸線４６まわりに回動可能である。シャッタ駆動レバー４４は、チャージ位置とチャージ解除位置との間を回動する。チャージ位置においては、爪４５は第１突出部４１ｃの図中Ａ方向上流側に位置し、チャージ解除位置においては、爪４５は第１突出部４１ｃの図中Ａ方向下流側に位置する。巻上げノブ１１（図１参照）が操作されると、シャッタ駆動レバー４４は、シャッタチャージ機構によってチャージ位置にセットされる。この状態で、シャッタボタン９が操作されると、シャッタ駆動レバー４４は、チャージ位置からチャージ解除位置へと回動する。この際、シャッタ駆動レバー４４の爪４５が、シャッタ羽根４０の突出部４１ｃを蹴飛ばす蹴飛ばし動作が行われる。
【００２３】
シャッタ羽根４０は、通常、図４（Ａ）に示すように、羽根部４２が露光開口３５を閉じる閉じ位置で待機している。シャッタ羽根４０には、バネ３８の付勢力によって、ピン３７を中心にして図中反時計まわりの回転力が働いている。しかし、羽根部４２がストッパ３６に制止されているため、シャッタ羽根４０は停止している。
【００２４】
上述した蹴飛ばし動作が行われると、シャッタ羽根４０の第１突出部４１ｃが図中右方向へ大きな力を受ける。シャッタ羽根４０には、ピン３７を中心にして図中時計まわりの回転力が働く。シャッタ羽根４０は、図４（Ｂ）に示すように、羽根部４２がストッパピン４７に当接する位置まで、図中時計まわりに回転する。シャッタ羽根４０は、羽根部４２が露光開口３５を開く開き位置に移動することとなる。第１突出部４１ｃが力を受けるのは一瞬である。そのため、シャッタ羽根４０は、すぐに、バネ３８の付勢力によって図４（Ａ）に示す閉じ位置に復帰する。
【００２５】
蹴飛ばし動作により、シャッタ羽根４０は、閉じ位置から開き位置へと移動した後、開き位置から閉じ位置へと移動する。シャッタ羽根４０が閉じ位置から開き位置へ移動する途中で、シャッタ羽根４０の第２突出部４１ｄが、圧電バイモルフ素子２４の他端部に接触し、図中下方向に力を加える。圧電バイモルフ素子２４にはたわみが生じる。圧電バイモルフ素子２４のたわみ量は、シャッタ羽根２４が開き位置に向かうに従って大きくなる。たわみ量が変化すると、圧電バイモルフ素子２４の電極３０と電極３１の間に起電力が発生し、ＬＥＤ２６が点灯する。
【００２６】
シャッタ羽根４０が開き位置から閉じ位置に移動し始めると、圧電バイモルフ素子２４のたわみ量は小さくなってゆく。やがて、シャッタ羽根４０の第２突出部４１ｄが、圧電バイモルフ素子２４の他端部から離れる。圧電バイモルフ素子２４は、湾曲状態から、たわみの生じていない直線状の状態に戻る。
【００２７】
以下では、上記構成による作用について説明する。巻上げノブ１１を操作すると、撮影が可能な状態となる。撮影レンズ６を被写体に向けてシャッタボタン９を押圧すると、シャッタ羽根４０が開閉動作を行い、露光開口３５が開閉される。露光開口３５の開閉により写真フイルム１８への露光が行われる。同時に、シャッタ羽根４０の開閉動作に伴って、発光ユニット２０の圧電バイモルフ素子２４のたわみ量が変化する。圧電バイモルフ素子２４のたわみ量が変化すると起電力が発生し、この起電力によりＬＥＤ２６が所定時間点灯する。ＬＥＤ２６の点灯により、被撮影者は撮影の瞬間を知ることができる。
【００２８】
このように、電池を内蔵しない場合であっても、被撮影者に撮影の瞬間を知らせることができる。また、圧電素子が発電を行うため、電力の消耗を心配する必要がない。
【００２９】
なお、上記実施形態では、発光ユニット２０を用いたが、この替わりに音声出力ユニット６０を用いてもよい。音声出力ユニット６０とシャッタ機構の構成を示す分解斜視図を図５に示し、音声出力ユニット６０の電気的構成を示すブロック図を図６に示す。
【００３０】
音声出力ユニット６０は、上記実施形態と同じ圧電バイモルフ素子２４と、音声出力ユニット本体６１と、音声出力装置６２と、から構成される。圧電バイモルフ素子２４の一端部は音声出力ユニット本体６１に固定されており、この音声出力ユニット本体６１はユニット本体３（図２参照）の本体基部１４（図２参照）に固定されている。音声出力装置６２は、音声出力回路６３と、スピーカ６４とから構成される。音声出力回路６３は、音声出力ユニット本体６１内部に組み込まれており、電極３０、３１に接続されている。スピーカ６４は、音声出力ユニット本体６１の前面に設けられている。圧電バイモルフ素子２４がたわむと、電極３０と電極３１との間には起電力が発生し、この起電力によって音声出力回路６３が作動し、スピーカ６４から音声が出力される。スピーカ６４からの音声は、ユニット本体３の前カバー１５の開口８（図２参照）から外部へと出力される。この構成によれば、撮影と同時に音声を出力することができるため、上記実施形態と同様の効果を得ることができる。
【００３１】
上記実施形態では、連動部材としてシャッタ羽根を用いたが、シャッタボタンの操作に連動して変位し、圧電素子に接触して外力を作用させ、圧電素子の形状を変化させる部材であればよく、この他のものを用いてもよい。
【００３２】
上記実施形態では、圧電バイモルフ素子の一端部を固定端とし、他端部を自由端として、他端部に外力を加えることとしたが、圧電バイモルフ素子の両端部を支持しておき、中央部に外力を加えることとしてもよい。
【００３３】
上記実施形態では、圧電バイモルフ素子は、通常では直線状の状態であり、シャッタボタンが操作されると湾曲状態となったが、通常では湾曲状態であり、シャッタボタンが操作されると直線状の状態となるようにしてもよい。この場合には、圧電バイモルフ素子を予め連動部材に接触させておく。
【００３４】
上記実施形態では、圧電素子として圧電バイモルフ素子を用いたが、圧電ユニモルフ素子を用いてもよい。また、他の圧電素子を用いてもよい。
【００３５】
上記実施形態では、レンズ付きフイルムユニットを用いて説明したが、電池を内蔵しない他のカメラに本発明を実施してもよい。
【図面の簡単な説明】
【００３６】
【図１】本発明を実施したレンズ付きフイルムユニットの外観斜視図である。
【図２】レンズ付きフイルムユニットの分解斜視図である。
【図３】シャッタ機構及び発光ユニットの分解斜視図である。
【図４】シャッタボタン押圧時における圧電バイモルフ素子の形状の変化を示す説明図である。
【図５】シャッタ機構及び音声出力ユニットの分解斜視図である。
【図６】音声出力ユニットの電気的構成を示すブロック図である。
【符号の説明】
【００３７】
２  レンズ付きフイルムユニット
３  ユニット本体
８  開口
９  シャッタボタン
１４  本体基部
１８  フイルム
２０  発光ユニット
２４  圧電バイモルフ素子
２６  ＬＥＤ
４０  シャッタ羽根
４１ｄ  第２突出部
６０  音声出力ユニット
６２  音声出力装置
６３  音声出力回路
６４  スピーカ
【図１】
2006084529.tif 000003
【図２】
2006084529.tif 000004
【図３】
2006084529.tif 000005
【図４】
2006084529.tif 000006
【図５】
2006084529.tif 000007
【図６】
2006084529.tif 000008